(57)【要約】      （修正有）【課題】装着自在でかつ装着した場合の密着性が高いステッキホルダーの提供。【解決手段】ホルダー部と取り付け金具と分離したため、取付金具に必要に応じて自由に取付、取り外しができる。ホルダー部と取付金具を工夫したため、取り付けたときには抜けにくく取り外す時は簡単である。高齢者や障害をもつ方ケアする方の安全性に配慮したホルダーである。また、ネジで留められるので従来のものに比べて安定性がある。ネジの代わりに取付金具の裏面に両面テープや磁石をつけて使用するこができ、多様性がある。【選択図】図１
2005288096.tif 000002
【特許請求の範囲】
【請求項１】
ステッキホルダーはホルダー部と取付金具の２部品から成る。
【発明の詳細な説明】
【技術分野】
【０００１】本発明はステッキが安全確実に持ち主本人の身近な位置に置くことができるステッキホルダーである。
【背景技術】
【０００２】従来のものは、ホルダーが固定したもの（例えば、特許文献２参照）
また装着自在マグネットで密着するもの（例えば、特許文献１参照）
【特許文献１】登録実用新案広報第３００８４５７号
【特許文献２】特開平９−２８５４３広報
【非特許文献１】コクヨオフィスファニチャ２００２
【発明の開示】
【発明が解決しようとする課題】
【０００３】  以上に述べた従来のステッキホルダーは、ホルダーが直接固定したものかまたは装着自在なもののいずれかである。ステッキホルダーを使用しないときはホルダーの部分が邪魔になる。装着自在なステッキホルダーは密着度が低い。【０００４】  本発明はこのような従来の有した問題を解決しようとするものであり、ステッキホルダーをホルダー部と取付金具分離することを目的とするものである。
【課題を解決するための手段】
【０００５】  そして本発明は上記目的を達成するため、ステッキホルダーをホルダー部と取付金具の２部品から成る。【０００６】  ホルダー部は馬蹄形の台座図１−１とステッキ保持部図１−２から成る。【０００７】  図１の馬蹄形の底の中央部に楕円の穴図１−３を開け、楕円の下部に楕円の穴より小さめの溝図３−４つける。
【図１】
2005288096.tif 000003
【図２】
2005288096.tif 000004
【手続補正書】
【提出日】平成16年6月10日(2004.6.10)
【手続補正１】
【補正対象書類名】特許請求の範囲
【補正対象項目名】全文
【補正方法】変更
【補正の内容】
【特許請求の範囲】
【請求項１】
ステッキホルダーはホルダー部図４、図５と取付金具図６、図７の２部品から成る。取付金具にホルダー部を挿入し、ホルダー部を９０度回転することによりホルダー部と取付金具が一体化することが特徴である。またホルダー部を取付金具から必要に応じて簡単に取り付け、取り外しが出来、しかも固定できる。取付金具とホルダー部により任意の場所に固定するものである。ホルダー部の馬蹄形台座３の中央に円６の穴をあけ、円の下部に、円の直径より小さめの寸法で平行に切断して溝５を作る。もしくは、合成樹脂材等で一体成形化するのが特徴である。
【請求項２】
取付金具図６、図７の突起部４はホルダー部図４、図５の馬蹄形台座３の溝５より小さめに円柱の両端を平行に切断し取付金具に固定し、頭部はホルダー部の直径より大きめの丸ビス等で固定する。もしくは、合成樹脂材等で一体成形化するのが特徴である。
【手続補正２】
【補正対象書類名】明細書
【補正対象項目名】全文
【補正方法】変更
【補正の内容】
【発明の詳細な説明】
【技術分野】
【０００１】  本発明はステッキを安全確実に持ち主の身近な位置に置くことが出来るステッキホルダーである。【０００２】  従来のものは、ホルダーが固定したもの（例えば、特許文献２参照）また装着自在マグネットで密着するもの（例えば、特許文献１参照）【特許文献１】登録実用新案広報代３００８４５７号
【特許文献２】特開平９−２８５４３広報
【非特許文献１】コクヨオフィスファニチャ２００２
【発明が解決しようとする課題】
【０００３】  以上に述べた従来のステッキホルダーは、ホルダーが直接固定したものか、または装着自在なもののいずれかである。固定したものは、ステッキホルダーを使用しないときにホルダーの部分が邪魔になる。装着自在なステッキホルダーは装着部がマグネットのみなので、密着度が低く安定性に欠ける。
【０００４】  本発明はこのような従来の有した問題を解決しようとするものでおり、ステッキホルダーをホルダー部図４、図５と取付金具図６、図７に分離することを目的とするものである。
【課題を解決するための手段】
【０００５】  本発明は上記目的を達成するため、ステッキホルダーはホルダー部図４、図５と取付金具図６、図７の２部品から成る。
【０００６】  ホルダー部図４、図５は馬蹄形台座３とステッキ保持部１から成る。
【０００７】  馬蹄形台座３の中央部に小さめの円６の穴をあけ、円の下部に円の穴より小さめの溝５を作る。
【０００８】  取付金具２は、金具の中央部に突起部４を設ける。その突起部は円柱の両面を切り落とし平面に仕上げ、その上部を突起部より大きめの丸ビスで固定するか突起部を樹脂材等で一体化する。
【０００９】  ホルダー部図４、図５を取付金具２の突起部４に差し込んで、９０度回転させて取り付けることが可能になり、確実に固定される。しかも、取り外しも簡単にできる。
【発明の効果】
【００１０】  上述したように本発明のステッキホルダーは、ホルダー部図４、図５と取付金具２を分離することにより、ホルダー部を自由に取り付け、取り外しが出来るようになった。
【００１１】  ホルダー部図４、図５と取付金具２を工夫したため、取り付けたときにはホルダー部が抜けにくく、取り外すときは簡単になった
【発明を実施するための最良の形態】
【００１２】  以下、本発明の実施の形態を図１０，図１１，図１２に基づいて説明する。【００１３】  図１０のＡはホルダー部、図１１のＡ，Ｂは取付金具である。【００１４】  まず、図１１のＡ，Ｂ取付金具を両面テープ、もくネジ、釘、磁石等で固定したい箇所、椅子の背、肘、机の側面等に固定する。【００１５】  図１２のＡホルダー部を図１１のＡ，Ｂ取付金具に図１２のＢ〜図１２のＥの順序で設定する。図１２のＢとＣは図１１のＡ，Ｂ取付金具に図１２のＡホルダー部を差し込む。図１２のＤは、差し込んだ図１２のＡホルダー部を回転させ、図１２の８は、図１２のＡホルダー部を回転させ停止する。
【図面の簡単な説明】
【００１６】
【図１】杖に取り付ける前の状態を示す斜視図である。
【図２】全平面図である。
【図３】全側面図である。
【図４】ホルダー部の平面図である。
【図５】ホルダー部の側面図である。
【図６】取付金具の平面図である。
【図７】取付金具の側面図である。
【図８】ステッキホルダーを椅子の背と肘に取り付けた状態を示す斜視図である。
【図９】ステッキホルダーを机の側面に取り付けた状態を示す斜視図である。
【図１０】ホルダー部の斜視図である。
【図１１】取付金具の斜視図である。
【図１２】ステッキホルダーの取付方法説明図である。
【図１３】ステッキホルダーをイスの背と肘に固定した状態である。
【図１４】ステッキホルダーを固定した拡大図である。
【符号の説明】
【００１７】      １  ステッキ保持部      ２  取付金具      ３  馬蹄形台座      ４  突起部      ５  溝      ６  円      ７  杖      ８  椅子      ９  机
【手続補正３】
【補正対象書類名】図面
【補正対象項目名】全文
【補正方法】変更
【補正の内容】
【図１】
2005288096.tif 000005
【図２】
2005288096.tif 000006
【図３】
2005288096.tif 000007
【図４】
2005288096.tif 000008
【図５】
2005288096.tif 000009
【図６】
2005288096.tif 000010
【図７】
2005288096.tif 000011
【図８】
2005288096.tif 000012
【図９】
2005288096.tif 000013
【図１０】
2005288096.tif 000014
【図１１】
2005288096.tif 000015
【図１２】
2005288096.tif 000016
【図１３】
2005288096.tif 000017
【図１４】
2005288096.tif 000018